(57)【要約】【課題】  簡単な構成で頻繁に移動する場合にも迅速に照準がおこなえる照準装置を提供する。【解決手段】  高さ方向に間隔を置いた２点間の一方の点である水糸６に照準を合わせ、床面上の他方の点が一方の点の鉛直下方にあるか否かを確認する照準装置である。  そして、中空に形成されて長手方向の視界が確保された外筒管２と、その内部に鉛直支持部４を介して鉛直方向が照準方向となるように支持される照準器３とを有している。【選択図】  図１
2006337293.tif 000002
【特許請求の範囲】
【請求項１】
高さ方向に間隔を置いた２点間の一方の点に照準を合わせ、他方の点が一方の点の鉛直下方にあるか否かを確認する照準装置であって、
中空に形成されて長手方向の視界が確保された外筒管と、その内部に鉛直支持部を介して鉛直方向が照準方向となるように支持される照準器とを有することを特徴とする照準装置。
【請求項２】
前記外筒管は、両端が透明板によって遮蔽されていることを特徴とする請求項１に記載の照準装置。
【請求項３】
前記外筒管又は照準器の少なくとも一方の内部に光源部材を配備したことを特徴とする請求項１又は２に記載の照準装置。
【発明の詳細な説明】
【技術分野】
【０００１】
本発明は、建築現場などで基準となる位置を示すために水平に張られた水糸の鉛直下方に位置出しをおこなう場合などに使用される照準装置に関するものである。
【背景技術】
【０００２】
従来、建築現場などの工事現場において、墨出しや構造部材の設置位置を決める作業に使用されるレーザー放射器を備えたレーザー照準装置が知られている（特許文献１など参照）。
【０００３】
このレーザー照準装置は、床面上に水平に据え付けた後に、水平面に対して所望する角度に向けられたレーザー放射器からレーザーを放射させ、そのレーザーの光跡によって墨出しなどをおこなうものである。
【０００４】
また、図４に示すように、水糸Ｌの鉛直下方にアンカーボルト（図示せず）などを打ち込む場合は、水糸Ｌを真上から覗き込んで（視準線Ｓ１）、その水糸Ｌの真下にくる床面Ｆの位置にアンカーボルトを打ち込む。
【特許文献１】特開平８−３１３２５７号公報
【発明の開示】
【発明が解決しようとする課題】
【０００５】
しかしながら、従来のレーザー照準装置は、高価である上に、水平に据え付ける作業をおこなった後でしか使用できないため、移動しながら位置出しをおこなうような場合には繰り返し据え付け作業をおこなわなければならず煩雑である。
【０００６】
また、照準装置を使用せずに目視だけで位置決めを行なった場合、図４の視準線Ｓ２のように水糸Ｌを斜めから見ていると前記アンカーボルトの打設位置が水糸Ｌの真下にならず誤差Ｄが生じることになる。
【０００７】
そこで、本発明は、簡単な構成で頻繁に移動する場合にも迅速に照準がおこなえる照準装置を提供することを目的としている。
【課題を解決するための手段】
【０００８】
前記目的を達成するために、本発明は、高さ方向に間隔を置いた２点間の一方の点に照準を合わせ、他方の点が一方の点の鉛直下方にあるか否かを確認する照準装置であって、中空に形成されて長手方向の視界が確保された外筒管と、その内部に鉛直支持部を介して鉛直方向が照準方向となるように支持される照準器とを有する照準装置であることを特徴とする。
【０００９】
ここで、前記外筒管は、両端を透明板によって遮蔽して、内部に乾燥空気を封入することができる。
【００１０】
また、前記外筒管又は照準器の少なくとも一方の内部には光源部材を配備することもできる。
【発明の効果】
【００１１】
このように構成された本発明は、外筒管とその内部に鉛直支持部を介して鉛直方向が照準方向となるように支持される照準器とによって構成される。
【００１２】
このため、前記外筒管が傾いていても前記照準器は常に鉛直方向を向いているので、作業員が前記外筒管を手で持った状態で迅速に照準作業をおこなうことができる。
【００１３】
また、鉛直支持部に取り付けた照準器を外筒管の内部に組み込むことで構成できるので簡単に製作することができる。
【００１４】
さらに、前記外筒管の両端を透明板で塞ぐことで、埃などによって前記照準器が汚れることが防止できる上に、照準作業中の風の影響をなくすことができる。
【００１５】
また、前記外筒管の内部に光源部材を配備することで、暗い場所でも照準をおこなうことができるようになる。
【発明を実施するための最良の形態】
【００１６】
以下、本発明の最良の実施の形態について図面を参照して説明する。
【００１７】
図１乃至図３は、本実施の形態の照準装置１の構成を示した図である。
【００１８】
まず、構成から説明すると、このような本実施の形態の照準装置１は、中空に形成されて長手方向の視界が確保された外筒管２と、その内部に鉛直支持部４を介して支持される照準器３と、前記外筒管２の両端を遮蔽する透明板２ａ，２ａとによって主に構成される。
【００１９】
この外筒管２は、図２に示すように円筒形に形成されており、その内部は貫通した構造となっている。
【００２０】
また、外筒管２の開放された両端は、ガラス板などの透明板２ａ，２ａで遮蔽されており、外筒管２の長手方向の視界が確保されると共に外筒管２の内部に埃や風が侵入しないように構成されている。
【００２１】
さらに外筒管２の内部には、乾燥空気等が封入されており、外部気温が変化しても結露によって透明板２ａ，２ａに曇りが生じることがないように構成されている。
【００２２】
そして、この外筒管２の内部には、鉛直支持部４を介して鉛直方向が照準方向となるように照準器３が取り付けられる。
【００２３】
この鉛直支持部４は、支持する部材を常に鉛直方向に向けて支持するジャイロ形の装置であって、外筒管２の内側面に取り付けられる一対の回動軸４ａ，４ａと、その回動軸４ａ，４ａによって支持される円環状の環状枠４ｂと、その環状枠４ｂの内側面に取り付けられて照準器３を支持する一対の回動軸４ｃ，４ｃとによって構成されている。
【００２４】
この外筒管２に取り付けられる一対の回動軸４ａ，４ａは、図３に示すように外筒管２の内側面に直交する線上に同軸となるように向かい合わせで配設されると共に、軸周りに回転自在となるように取り付けられている。
【００２５】
また、この環状枠４ｂは、この回動軸４ａ，４ａに固定されて支持されており、この環状枠４ｂの内側面には回転軸４ａ，４ａと直交する直径上にもう一方の回動軸４ｃ，４ｃが一対取り付けられている。
【００２６】
この回動軸４ｃ，４ｃも、同軸となるように向かい合わせで配設されると共に軸周りに回転自在となるように取り付けられている。
【００２７】
そして、この回動軸４ｃ，４ｃには、環状枠４ｂの中心と照準器３の軸が重なると共に上端付近が支持されるようにして照準器３が取り付けられている。
【００２８】
このように構成された鉛直支持部４に照準器３を取り付けると、回動軸４ａ，４ａの軸線を中心とする環状枠４ｂの回転と、回動軸４ｃ，４ｃの軸線を中心とする照準器３の回転とによって２自由度で姿勢を変えることができるので、外筒管２の姿勢に関わらず照準器３の照準方向を常に鉛直方向に向けることができる。
【００２９】
この照準器３は、中空に形成された円筒形のケーシング部３ａと、その開放された両端を塞ぐ視準用十字線面３ｂ，３ｄとによって主に構成され、ケーシング部３ａの内部には乾燥空気が封入されている。
【００３０】
この視準用十字線面３ｂ，３ｄは、視準用の十字線がガラス板などに描かれて形成されるもので、十字線の交点を中心にした同心円３ｃを描いておくと照準作業がし易くなる。
【００３１】
この照準器３は、鉛直支持部４によって常に鉛直方向と長手方向（照準方向）が一致するように支持されるので、外筒管２の傾きによっては、照準器３の下端が外筒管２の内側面に衝突することになる。
【００３２】
このような衝突による照準器３の損傷又は狂いを防ぐために、照準器３の下端付近の外筒管３の内側面に図１，２に示すような環状の緩衝材２ｂを取り付ける。
【００３３】
また、照準器３がこの緩衝材２ｂに当接している状態では鉛直性は保持されないので、外筒管２の傾きを変える必要があるが、照準器３が鉛直であるか否かを作業者が認識し易くするために水平気泡管（図示せず）を照準器３に取り付けておくこともできる。
【００３４】
次に、本実施の形態の照準装置１の使用方法について説明すると共に、その作用について説明する。
【００３５】
まず、図１に示すように、外筒管２の内部に装備された照準器３の鉛直性が保持される角度で外筒管２を持ち、照準器３を通して照準を合わせる一方の点としての水糸６を照準器３の視界に入れる。
【００３６】
この際、照準装置１と水糸６の高さ方向の位置関係は特に限定されるものではないため、作業をし易い高さでおこなえばよい。
【００３７】
そして、照準器３の上端の視準用十字線面３ｂの十字線の交点と下端の視準用十字線面３ｄの十字線の交点とを結ぶ視準線５上に水糸６が重なるように照準装置１の位置を調整する。
【００３８】
このとき、再度、照準器３が外筒管２の内側面（緩衝材２ｂ）に接触していないかを確認するのが好ましい。
【００３９】
この状態で視準線５と床面が交わる点が視準点５ａであり、この視準点５ａが水糸６の鉛直下方を示す床面上の位置となる。
【００４０】
そこで、この視準点５ａと照準を合わせる他方の点としての照準対象点７が一致していれば、この照準対象点７は正確に水糸６の鉛直下方に設置されていることが確認でき、一致していなければ照準対象点７を一致する位置に移動させたり照準対象点７の周辺に正確な位置の印をつけたりする。
【００４１】
このように照準対象点７と正確な水糸６の鉛直下方の位置（視準点５ａ）との位置関係が明確になれば、アンカーボルト（図示せず）を正確な位置に打ち込んだり、打ち込まれたアンカーボルトに取り付けるアンカープレート（図示せず）を正確な位置に固定したりすることができる。
【００４２】
このように構成された本実施の形態の照準装置１は、作業者が外筒管２を手で持ってその内部に装備された照準器３を覗き込むことで、水糸６の鉛直下方にくる床面上の位置を知ることができる。
【００４３】
このため、煩雑な据え付け作業を必要とせず、簡単に照準をおこなうことができる。
【００４４】
また、水糸６に沿って移動を繰り返しながらアンカーボルトを打ち込むような場合にも、迅速に照準をおこない、位置の確認ができるので、照準作業全体の作業時間を短縮することができる。
【００４５】
さらに、照準作業中に風が吹いても、透明板２ａ，２ａによって遮蔽された外筒管２の内部の照準器３がその影響で揺れることがないので、迅速かつ正確に照準作業をおこなうことができる。
【００４６】
また、透明板２ａ，２ａによって埃などが外筒管２の内部に侵入するのを防ぐことができるので、埃の多い現場で使用しても外筒管２の内部に装備された照準器３を汚すことがない。
【実施例】
【００４７】
以下、前記した実施の形態の実施例について説明する。なお、前記実施の形態で説明した内容と同一乃至均等な部分の説明については同一符号を付して説明する。
【００４８】
前記実施の形態で説明した照準装置１の内部には、光源部材（図示せず）を配備することができる。
【００４９】
照準装置１は、直径に比べて長さの長い長尺部材である外筒管２と照準器３とを組み合わせて構成するため、内部が暗くなり易く、周囲の明るさによっては照準作業をおこない難い場合がある。
【００５０】
そこで、外筒管２の内部又は照準器３の内部に発光ダイオード（ＬＥＤ）などの光源部材を配備して、照準に必要となる明るさを確保する。
【００５１】
ここで、照準器３の内部に光源部材を配備すれば視準用十字線面３ｂ，３ｄをはっきりと視認できるようになり、外筒管２の内部に光源部材を配備すれば照準器３が外筒管２の内側面に当接していないことを確認し易くなる。
【００５２】
このように、外筒管２又は照準器３の少なくとも一方の内部に光源部材を配備することで、暗い場所でも照準をおこなうことができるようになる。
【００５３】
なお、他の構成及び作用効果については、前記実施の形態と略同様であるので説明を省略する。
【００５４】
以上、図面を参照して、本発明の最良の実施の形態を詳述してきたが、具体的な構成は、この実施の形態に限らず、本発明の要旨を逸脱しない程度の設計的変更は、本発明に含まれる。
【００５５】
例えば、前記実施の形態では、円筒形の外筒管２を使用した形態について説明したが、これに限定されるものではなく、六角柱状などの多角柱状の筒管で外筒管２を形成してもよい。
【００５６】
また、前記実施の形態では、鉛直支持部４としてジャイロ形の構成を説明したが、これに限定されるものではなく、例えば外筒管２の上端を塞ぐ透明板２ａから照準器３を糸で吊下げるような構成であってもよい。
【００５７】
さらに、前記実施の形態では、照準器３として筒状のケーシング部３ａの両端に視準用十字線面３ｂ，３ｄを設けた形態について説明したが、これに限定されるものではなく、外筒管２の長手方向に間隔を置いて配設される視準用十字線面３ｂ，３ｄを棒状部材で連結させたような開放型の照準器であってもよい。
【図面の簡単な説明】
【００５８】
【図１】本発明の最良の実施の形態の照準装置の使用方法を説明する説明図である。
【図２】本発明の最良の実施の形態の照準装置の構成を説明する斜視図である。
【図３】本発明の最良の実施の形態の照準装置の構成を説明する平面図である。
【図４】従来の水糸の鉛直下方の位置決め方法を説明する説明図である。
【符号の説明】
【００５９】
１            照準装置
２            外筒管
２ａ          透明板
３            照準器
４            鉛直支持部
６            水糸（一方の点）
７            照準対象点（他方の点）
【図１】
2006337293.tif 000003
【図２】
2006337293.tif 000004
【図３】
2006337293.tif 000005
【図４】
2006337293.tif 000006